(57)【要約】      （修正有）【課題】回転可能なプラグモジュールを備える電源アダプタを提供する。【解決手段】回転可能なプラグモジュール付き電源アダプタは、本体１０、回路モジュール２０及びプラグモジュールを備える。本体は、複数の締結部１２３及び複数の鉤部１２７を有する。締結部は環状に配置されている。各鉤部は、それぞれの締結部の一側に形成され、各締結部から同一方向へ伸長する。回路モジュールは、本体内に取り付けられた回路基板を有する。プラグモジュールは、複数の通電ブレード及び複数の穴を有する。プラグモジュールが締結部に対応して回転されると、穴は本体の締結部と係合する。通電ブレードは回路基板に電気的に接続されている。プラグモジュールが回転可能であり、本体から取り外し可能であるので、適正な通電ブレードを備える電源アダプタは、種々のソケットに利用することができる。【選択図】図１
0003173949.tif 000002
【実用新案登録請求の範囲】
【請求項１】
回転可能なプラグモジュール付き電源アダプタであって、
本体、回路モジュール及びプラグモジュールを含み、
前記本体は、前面開口部を有する外殻体と、前記前面開口部に取り付けられた基体とを備え、該基体は、上面と、前面と、後面と、該基体の前記前面に形成され環状に配置された複数の締結部と、複数の鉤部であってそれぞれが各締結部の一側に形成され、すべての前記鉤部が同一方向へ前記締結部から伸長する鉤部とを有し、
前記回路モジュールは前記外殻体に取り付けられた回路基板を備え、
前記プラグモジュールは、前記基体に取り外し可能に取り付けられており、ベースと、前面カバーと、複数の通電ブレードとを備え、前記ベースは、前面と、後面と、該ベースの前記後面に形成され、前記プラグモジュールが前記締結部に対応して回転されたとき前記基体の前記締結部に係合される複数の穴と、隣接する該穴間に形成された複数のリブとを有し、前記前面カバーは前記ベースの前記前面に強固に取り付けられ、前記通電ブレードは前記前面カバーに確実に挿入され、前記回路基板に電気的に接続されている、電源アダプタ。
【請求項２】
複数の貫通孔が前記基体の前記締結部に囲まれて形成されており、
複数の開口が、前記基体の前記貫通孔に対応して前記ベースの前記穴に囲まれて形成されており、
２本の導電性ピンが、前記基体の前記貫通孔を貫通しかつ突出して取り付けられており、また前記回路基板及び前記通電ブレードに電気的に接続されており、
複数の長穴が前記前面カバーに形成されており、当該長穴が前記通電ブレードを取り付けるために適用され、
複数の導電片が前記前面カバー及び前記ベース間に取り付けられ、各導電片は、各通電ブレードの後方端子に強固に係合すべく適合する貫通スロットと、前記導電性ピンの一方に接触する第１のリブと、前記導電性ピンの他方に接触する第２のリブとを有する、請求項１に記載の電源アダプタ。
【請求項３】
軌道が前記前面開口部の近傍で前記外殻体に形成され、
貫通溝が前記基体を貫通し前記軌道に対応して形成され、
複数のスロットが前記ベースの前記穴のそれぞれの近傍に形成され、
解除用舌が前記軌道内に滑動可能に取り付けられ、前記解除用舌は前記ベースの前記スロットの一つに挿入されるべく前記貫通溝を貫通して伸びる端末を有する、請求項２に記載の電源アダプタ。
【請求項４】
複数のフランジ部が、前記回路基板を保持すべく前記外殻体の２つの相対する内面に形成されている、請求項２又は３に記載の電源アダプタ。
【請求項５】
複数の導体が前記回路基板及び各導電性ピン間のそれぞれに設置され、各導体は、前記基体の前記貫通孔を前記導電性ピンで塞ぎ、また前記導体は前記回路基板に電気的に接続されるフック部を有し、各導電性ピンは前記基体の前記貫通孔の直径よりも大きな拡大部を有する、請求項４に記載の電源アダプタ。
【請求項６】
複数の管部が前記基体に形成されており、前記基体の前記貫通孔はそれぞれの前記管部に形成されており、前記管部は前記ベースの前記開口のぞれぞれに挿入されている、請求項５に記載の電源アダプタ。
【請求項７】
各鉤部は、前記基体の前記前面から離間されており、係合溝を有し、
前記ベースの前記リブのそれぞれには、複数の突出部が前記鉤部の前記係合溝に係合すべく形成されている、請求項６に記載の電源アダプタ。
【請求項８】
前記本体は、４つの締結部、４つの鉤部及び２つの貫通孔を含み、
前記回路モジュールは、２本の導電性ピンを含み、
前記プラグモジュールは４つの穴と、４つの開口とを含む、請求項７に記載の電源アダプタ。
【考案の詳細な説明】
【技術分野】
【０００１】
本考案は、電源アダプタに関し、より詳細には、回転可能なプラグモジュールを備える電源アダプタに関する。
【背景技術】
【０００２】
最近では、電気器具は、ノートブック、携帯電話及びＭＰ３プレーヤなどの広範囲に及んでおり、多様である。先に述べた電気器具を動作させるために、電池又はＤＣ電源が動作電圧を提供する。したがって、前記電気器具は、しばしば充電器又は電力変換機器と組合せられる。充電器又は電力変換機器は、プラグを通して交流電源に接続される。
【０００３】
一般的には、プラグは、壁に取り付けられたソケット又は前記壁のソケットから伸びる延長コードに電気的に接続される。電気器具を作動させ又は電池を充電すべく動作直流電力を提供するために、付属の電源アダプタが、電力線に接続されるか、前記ソケットに差し込まれる。しかしながら、付属の電源アダプタは、コストを増大させ、保管に不便である。別の観点では、降圧回路又は整流回路などの電源アダプタがプラグに組み込まれると、該プラグは巨大化する。さらに、導電性ピンが一定の角度でプラグに固定的に取り付けられると、該プラグは、その大きな寸法のために、残りのソケットの差し込み口を塞ぎ、この残りのソケットの利用を妨げることがある。
【考案の概要】
【考案が解決しようとする課題】
【０００４】
本考案の目的は、電源アダプタに回転可能なプラグモジュールを提供することにある。
【課題を解決するための手段】
【０００５】
前記した目的を達成するために、電源アダプタは、本体、回路モジュール及びプラグモジュールを含む。
【０００６】
前記本体は、外殻体及び基体を含む。前記外殻体は前面開口部を有する。前記基体は、複数の締結部と、複数の鉤部とを有する。前記締結部は、環状に配置さている。各鉤部は、各締結部の一側に形成され、すべての前記鉤部が同一方向へ前記締結部から伸長する。
【０００７】
前記回路モジュールは前記外殻体に取り付けられた回路基板を備える。
【０００８】
前記プラグモジュールは、ベースと、前面カバーと、複数の通電ブレードとを備える。前記ベースは、複数の穴と、複数のリブとを有する。前記複数の穴は、前記プラグモジュールが前記締結部に対応して回転されたとき、前記基体の前記締結部と係合する。前記複数のリブは、２つの隣接する前記穴間にそれぞれ形成されている。前記前面カバーは、前記ベースの前記前面に強固に取り付けられ、複数の長穴を有する。前記複数の通電ブレードは、前記前面カバーに確実に挿入されており、前記回路基板に電気的に接続される。
【考案の効果】
【０００９】
前記プラグモジュールは回転可能であり、前記本体から取り外し可能である。したがって、本考案に係る前記電源アダプタは、前記ソケットに適合する前記通電ブレードを変更することによって前記ソケットに利用可能である。さらに、前記プラグモジュールは、前記本体が他の残りのソケットを塞がない適正位置に回転することができる。
【図面の簡単な説明】
【００１０】
【図１】本考案に係る回転可能なプラグモジュール付き電源アダプタの第１の実施形態の分解斜視図である。
【図２】前記第１の実施形態の電源アダプタの一部を分解した斜視図である。
【図３】前記第１の実施形態の電源アダプタの部分的な背面図である。
【図４】前記第１の実施形態のプラグモジュールのベースの斜視図である。
【図５】前記第１の実施形態の電源アダプタの操作を示す図面である。
【図６】前記第１の実施形態の電源アダプタの操作を示す図面である。
【図７】前記第１の実施形態の電源アダプタの一部を拡大して示す部分断面図である。
【図８Ａ】前記解除用舌が前記プラグモジュールに向けて押し進められることを示す動作図である。
【図８Ｂ】前記解除用舌が前記プラグモジュールに向けて押し進められることを示す動作図である。
【図９】前記プラグモジュールの一部を断面で示す正面図である。
【図１０】前記プラグモジュールの一部を断面で示す正面図である。
【図１１Ａ】前記プラグモジュールの姿勢を示す斜視図である。
【図１１Ｂ】前記プラグモジュールの異なる姿勢を示す斜視図である。
【考案を実施するための形態】
【００１１】
図１及び図２を参照するに、回転可能なプラグ付き電源アダプタの第１の実施形態は、本体１０、回路モジュール２０及びプラグモジュール３０を備える。
【００１２】
本体１０は、外殻体１１、基体１２及び解除用舌１３を有する。外殻体１１は、中空であり、上面１００と、前面開口部１１０と、該前面開口部の近傍の軌道１１１とを有する。基体１２は、前面開口部１１０に取り付けられ、前面１２１及び後面１２２を有する。４つの締結部１２３、２つの貫通孔１２４及び貫通溝１２５が、基体１２に形成されている。４つの締結部１２３は、基体１２の前面１２１に環状に配置されている。貫通孔１２４は、締結部１２３に囲まれて基体１２を貫通して形成されている。貫通溝１２５は、基体１２を通って形成されており、軌道１１１に対応している。本実施形態では、貫通孔１２４は、基体１２の前面１２１から突出する２本の管部１２６内にそれぞれ形成されている。鉤部１２７が各締結部１２３の一側に形成されている。すべての鉤部１２７は、同一方向、例えば反時計回りの方向へ、それぞれの締結部１２３から伸長する。各鉤部１２７は、ギャップによって、基体１２の前面１２１から離間されており、鉤部１２７の前面１２１に向く内面に形成された係合溝１２８を有する。解除用舌１３は、軌道１１１に摺動可能に取り付けられており、貫通溝１２５を貫通して伸びる端末１３０を有する。
【００１３】
回路モジュール２０は、回路基板２１と、２本の導電性ピン２２とを含む。回路基板２１は、本体１０内に取り付けられている。本実施形態では、フランジ部１１２が外殻体１１の２つ相対する内面に形成されており、回路基板２１はフランジ１１２によって保持されている。２本の導電性ピン２２は、２つの貫通孔１２４のそれぞれを通って取り付けられおり、基体１２の前面１２１の管部１２６から突出可能である。図３を参照するに、２本の導体２３が回路基板２１と導電性ピン２２との間で電気的に接続されている。導体２３のそれぞれは、回路基板２１に電気的に接続されまた貫通孔１２４内の導電性ピン２２に接触するフック部２３０を有する。導電性ピン２２のそれぞれは、直径が貫通孔１２４より大きい拡大部２２０を有する。したがって、導電性ピン２２は貫通孔１２４に固定され、導体２３は回路基板２１と導電性ピン２２とを電気的に接続する。
【００１４】
プラグモジュール３０は、ベース３１と、前面カバー３２と、２本の通電ブレード３３と、２個の導電片３４とを備える。ベース３１は、４つの穴３１０、４つの開口３１１及び４つのスロット３１２を有する。穴３１０は、ベース３１の後面３１４に形成されており、基体１２の締結部１２３に対応して環状に配置されており、リブ３１６が隣接した２つの穴３１０間に形成されている。各リブ３１６は、導通ブレード３３に向けて形成された前面を有する。開口３１１は、基体１２の貫通孔１２４に対応して穴３１０に囲まれて形成されている。ベース３１のスロット３１２は、穴３１０の近傍にそれぞれ形成されている。図４を参照するに、４つの突出部３１３がリブ３１６の前記前面にそれぞれ形成されている。前面カバー３２は、ベース３１の前面３１５に確実に取り付けられ、２つの長穴３２０を有する。各導電片３４は前面カバー３２の後方に在り、各導電片３４は貫通スロット３４０、第１のリブ３４１及び第２のリブ３４２を有する。各通電ブレード３３の後方端子３３０は、前面カバー３２の長穴３２０に挿入され、対応する導電片３４にその貫通スロット３４０内で電気的に係合する。
【００１５】
プラグモジュール３０は、締結部１２３が穴３１０にそれぞれ確実に取り付けられると、本体１０に組合せられる。先ず、締結部１２３が穴３１０に合わされ、管部１２６が開口３１１にそれぞれ挿入される。図５及び図６を参照するに、プラグモジュール３０が時計回りに本体１０に関して回転すると、対応する突出部３１３に向けて各鉤部１２７が摺動する。基体１２の管部１２６は、また開口３１１を通って伸長する。図７を参照するに、回転した後、突出部３１３は係合溝１２８にそれぞれ係合する。
【００１６】
図８Ａ及び８Ｂを参照するに、解除用舌１３は、ベース３１のスロット３１２に向けて押し進めることができる。解除用舌１３の端末１３０は、貫通溝１２５を通過し、その後、ベース３１のスロット３１２に挿入される。結果として、プラグモジュール３０は確実に本体１０に組み合わせられる。同時に、図９を参照するに、導電片３４の第１のリブ３４１は、導電性ピン２２にそれぞれ接触する。したがって、回路基板２１は、通電ブレード３３に電気的に接触する。
【００１７】
プラグモジュール３０は、以下のステップによって、本体１０から外すことができる。
１．解除用舌１３をプラグモジュール３０の後方へ向けて押し進める。
２．穴３１０から締結部１２３のロック解除のために、プラグモジュール３０を本体１０に関して反時計回りに回転させる。
【００１８】
プラグモジュール３０と本体１０とをばらした後、プラグモジュール３０の姿勢の変更が要求されるなら、基体１２の締結部１２３は、ベース３１の後続の穴３１０に入れることができる。次に、ベース３１の突出部３１３が締結部１２３の係合溝１２８に係合するまで、プラグモジュール３０を本体１０に関して時計回りに回転することができる。図１０を参照するに、回転後、導電片３４の第２のリブ３４２は、回路基板２１に電気的に接続されるべく導電性ピン２２に接触する。
【００１９】
図１１Ａ及び図１１Ｂを参照するに、プラグモジュール３０は、本考案に係る本実施形態の異なる姿勢で本体１０に取り付けられており、ユーザはいずれの姿勢をも利用することができる。したがって、前記プラグモジュールがソケットに適正姿勢で差し込まれるなら、前記電源アダプタの前記本体が残りのソケットを塞がないであろう。
【００２０】
プラグモジュール３０が回転可能であり、本体１０から取り外すことができるので、適正な通電ブレード３３を備えるプラグモジュール３０に変更することにより、前記電源アダプタは広くすべてのソケットに利用可能である。例えば、通電ブレード３３は、ヨーロッパでは円筒形であり、対照的に台湾では平らである。したがって、ユーザがプラグモジュール３０の種々のタイプを有するならば、該ユーザは、対応するプラグモジュール３０に変更することによって、如何なる国においても電源アダプタを使うことができる。
【符号の説明】
【００２１】
１０  本体
１１  外殻体
１００  上面
１１０  前面開口部
１１１  軌道
１１２  フランジ部
１２  基体
１２１  前面
１２２  後面
１２３  締結部
１２４  貫通孔
１２５  貫通溝
１２６  管部
１２７  鉤部
１２８  係合溝
１３  解除用舌
１３０  端末
２０  回路モジュール
２１  回路基板
２２  導電性ピン
２２０  拡大部
２３  導体
２３０  フック部
３０  プラグモジュール
３１  ベース
３１０  穴
３１１  開口
３１２  スロット
３１３  突出部
３１４  後面
３１５  前面
３１６  リブ
３２  前面カバー
３２０  長穴
３３  通電ブレード
３３０  後方端子
３４  導電片
３４０  貫通スロット
３４１  第１のリブ
３４２  第２のリブ
【図１】
0003173949.tif 000003
【図２】
0003173949.tif 000004
【図３】
0003173949.tif 000005
【図４】
0003173949.tif 000006
【図５】
0003173949.tif 000007
【図６】
0003173949.tif 000008
【図７】
0003173949.tif 000009
【図８Ａ】
0003173949.tif 000010
【図８Ｂ】
0003173949.tif 000011
【図９】
0003173949.tif 000012
【図１０】
0003173949.tif 000013
【図１１Ａ】
0003173949.tif 000014
【図１１Ｂ】
0003173949.tif 000015